(57)【特許請求の範囲】
【請求項１】
放射性廃棄物を収納可能かつ放射能を遮蔽可能な放射性廃棄物収納容器であって、
前記放射性廃棄物の収納部を形成するドラム缶と、
該ドラム缶の側周部及び底面部の外面を覆うコンクリート被覆層と、
前記ドラム缶の上部を覆う中蓋と、
該中蓋を前記ドラム缶に固定する固定手段と、
該中蓋を覆うとともに前記コンクリート被覆層の上部に配置されるコンクリート製の外蓋と、を有し、
前記中蓋は、前記ドラム缶の外縁部に係止可能なフック部と前記ドラム缶の開口部を覆う円板部とを有する金属製の中蓋本体部と、前記フック部及び前記円板部により形成される窪みに形成されたコンクリート層と、を有する
ことを特徴とする放射性廃棄物収納容器。
【請求項２】
前記中蓋は中央部に締結部を有し、前記外蓋は中央部に締結具を挿通可能な開口部を有し、前記外蓋の外側から前記開口部に前記締結具の一部を挿通し、前記締結具を前記締結部に係合させることによって前記外蓋を前記中蓋に固定する、ことを特徴とする請求項１に記載の放射性廃棄物収納容器。
【請求項３】
前記コンクリート被覆層は、底面部中央に前記締結具の頭部を収容可能な凹部を有し、前記放射性廃棄物収納容器を積載可能に構成されている、ことを特徴とする請求項２に記載の放射性廃棄物収納容器。
【請求項４】
前記コンクリート被覆層及び前記外蓋は、無筋コンクリートにより構成されているとともに、金属製の繊維材、粒状体又は粉状体が混練されている、ことを特徴とする請求項１〜請求項３のいずれかに記載の放射性廃棄物収納容器。
【請求項５】
前記コンクリート被覆層は、側周部に配置された複数のインサートを有し、該インサートに吊り下げ用金具が締結可能に構成されている、ことを特徴とする請求項１〜請求項４のいずれかに記載の放射性廃棄物収納容器。
【請求項６】
前記ドラム缶の内側に、放射能を遮蔽可能な金属層を形成した、ことを特徴とする請求項１〜請求項５のいずれかに記載の放射性廃棄物収納容器。
【発明の詳細な説明】
【技術分野】
【０００１】
本発明は、放射性廃棄物収納容器に関し、特に、小型で放射能の遮蔽性に優れた放射性廃棄物収納容器に関する。
【背景技術】
【０００２】
現在、放射性廃棄物の収納容器としては、フレキシブルコンテナバッグ、コンクリート製容器、ドラム缶等が使用されている。フレキシブルコンテナバッグは、いわゆる土嚢に代表されるように、軽量で可搬性に優れ、取り扱い易いものの、ポリエチレンやポリプロピレン等の化学繊維で形成された織布により構成されており、放射能を遮蔽することができない。したがって、フレキシブルコンテナバッグに放射性廃棄物を収納した場合には、地上に放置しておくことは好ましくなく、仮置場や中間処分場において地中に埋めておく必要がある。
【０００３】
コンクリート製容器は、放射能の遮蔽性に優れるものの大型化・重量化し易く、可搬性に劣る。例えば、特許文献１に記載された放射性廃棄物収納容器は、放射能汚染物質を一時的もしくは短〜中期的に保管するための収納空間の容積が１ｍ３以上の鉄筋コンクリート製角型保管容器であって、底部と側壁部とを一体成形してなる上面開口で鉄筋コンクリート製の容器本体と該開口に蓋をするための鉄筋コンクリート製蓋体と前記蓋体を前記容器本体に固定するための複数の連結プレートを備え、前記容器本体における底部と側壁部及び蓋体の各最小厚が１３〜１８ｃｍであることを特徴とする。
【０００４】
ドラム缶は、一般に２００リットル以上の容積を有する金属製の缶であり、上述したコンクリート製容器よりも小型で軽量であるものの放射能の遮蔽性に劣る。そこで、特許文献２に記載されたように、ドラム缶の内側にコンクリート層を形成して放射能の遮蔽性を向上させたものが既に提案されている。特許文献２に記載された放射性廃棄物収納容器は、補強筋入りの重質コンクリート製板材の上面に電磁石吸着用の鋼板と複数のフックボルト係止用ナットとを補強筋に連結させて取り付けた内蓋を重質コンクリート製の内張層を有するドラム缶の開口部に嵌装したことを特徴とする。
【先行技術文献】
【特許文献】
【０００５】
【特許文献１】実用新案登録第３１７３４３３号公報
【特許文献２】実開昭６１−３６５９９号公報
【発明の概要】
【発明が解決しようとする課題】
【０００６】
特許文献１に記載されたコンクリート製容器では、収納容積を大きく確保できるものの大型化・重量化してしまうことから、ホットスポットが生じている住宅地等に近接した箇所への搬送が困難になってしまう。また、コンクリート製蓋体も重量物であるから蓋体の開閉を手軽に行うことができず、容器が満杯になるまで蓋体を取り外した状態で放置しておかなければならず、収納した放射性廃棄物からの放射能を効果的に遮蔽することができない。さらに、容器を開放した状態で放置すると容器内に雨水が浸入し易く、放射性製廃棄物の収容量が制限されたり、雨水が溢れ出して放射性物質が拡散したりしてしまうことにもなる。
【０００７】
また、特許文献２に記載されたコンクリートを内張したドラム缶では、内蓋と外蓋とを有しており、二重蓋構造を有しているものの、内蓋がコンクリート製であることから重量物となってしまい、クレーンで移動させることを前提とした構造となっており（例えば、内蓋には電磁石吸着用鋼板やフックボルト係止用ナットが配置されている）、手軽にドラム缶の開閉を行うことができない。したがって、上述したコンクリート製容器と同様の問題を生じる。さらに、一般的なドラム缶は２００リットル程度の容量であり、コンクリート製容器と比較して収納容積が少ないうえに、その内側にコンクリートを内張していることから、さらに収納容積が低下してしまうという問題もある。
【０００８】
本発明は、上述した問題点に鑑み創案されたものであり、小型で可搬性に優れるとともに放射能の遮蔽性に優れた放射性廃棄物収納容器を提供することを目的とする。
【課題を解決するための手段】
【０００９】
本発明によれば、放射性廃棄物を収納可能かつ放射能を遮蔽可能な放射性廃棄物収納容器であって、前記放射性廃棄物の収納部を形成するドラム缶と、該ドラム缶の側周部及び底面部の外面を覆うコンクリート被覆層と、前記ドラム缶の上部を覆う中蓋と、該中蓋を前記ドラム缶に固定する固定手段と、該中蓋を覆うとともに前記コンクリート被覆層の上部に配置されるコンクリート製の外蓋と、を有し、前記中蓋は、前記ドラム缶の外縁部に係止可能なフック部と前記ドラム缶の開口部を覆う円板部とを有する金属製の中蓋本体部と、前記フック部及び前記円板部により形成される窪みに形成されたコンクリート層と、を有することを特徴とする放射性廃棄物収納容器が提供される。
【００１１】
また、前記中蓋は中央部に締結部を有し、前記外蓋は中央部に締結具を挿通可能な開口部を有し、前記外蓋の外側から前記開口部に前記締結具の一部を挿通し、前記締結具を前記締結部に係合させることによって前記外蓋を前記中蓋に固定するようにしてもよい。さらに、前記コンクリート被覆層は、底面部中央に前記締結具の頭部を収容可能な凹部を有し、前記放射性廃棄物収納容器を積載可能に構成されていてもよい。
【００１２】
また、前記コンクリート被覆層及び前記外蓋は、無筋コンクリートにより構成されているとともに、金属製の繊維材、粒状体又は粉状体が混練されていてもよい。また、前記コンクリート被覆層は、側周部に配置された複数のインサートを有し、該インサートに吊り下げ用金具が締結可能に構成されていてもよい。また、前記ドラム缶の内側に、放射能を遮蔽可能な金属層を形成してもよい。
【発明の効果】
【００１３】
上述した本発明に係る放射性廃棄物収納容器によれば、ドラム缶の外側をコンクリート被覆層で覆うとともに軽量な中蓋を配置したことにより、ドラム缶の収納容積を低下させることなく放射能を遮蔽することができるとともに、手軽に容器を開閉することができる。したがって、放射性廃棄物収納容器が満杯になるまで現地に一時的に置いておく場合であっても、容器を使用しないときには中蓋を閉めておくことができ、放射能の漏洩や雨水の浸入を抑制することができ、収容量の低減、放射性物質の拡散、近隣住民や作業者の被曝等を抑制することができる。
【００１４】
また、一般的に市販されているドラム缶をベースにしていることから、放射性廃棄物収納容器の小型化及び軽量化を図ることができ、例えば、車両積載型トラッククレーン（ユニック車、キャブバッククレーン車等）により搬送することができ、ホットスポットが生じている住宅地等に近接した箇所まで放射性廃棄物収納容器を容易に搬送することができる。したがって、本発明によれば、小型で可搬性に優れるとともに放射能の遮蔽性に優れた放射性廃棄物収納容器を提供することができる。
【図面の簡単な説明】
【００１５】
【図１】本発明の実施形態に係る放射性廃棄物収納容器を示す断面図である。
【図２】図１に示した中蓋の説明図であり、（Ａ）は上面図、（Ｂ）は変形例の部分断面図、（Ｃ）は中蓋の固定手段を示す上面図、を示している。
【図３】図１に示したコンクリート被覆層及び外蓋の説明図であり、（Ａ）は図１におけるＸ−Ｘ断面図、（Ｂ）は外蓋の下面図、を示している。
【図４】放射性廃棄物収納容器の封止手順を示す図であり、（Ａ）は開放状態、（Ｂ）は中蓋固定状態、（Ｃ）は外蓋載置状態、（Ｄ）は外蓋固定状態、を示している。
【図５】図１に示した放射性廃棄物収納容器の使用状態等を示す図であり（Ａ）は吊り下げ状態、（Ｂ）は積載状態、（Ｃ）は金属層を内張した状態、を示している。
【発明を実施するための形態】
【００１６】
以下、本発明に係る放射性廃棄物収納容器の実施形態について、図１〜図５を用いて説明する。ここで、図１は、本発明の実施形態に係る放射性廃棄物収納容器を示す断面図である。図２は、図１に示した中蓋の説明図であり、（Ａ）は上面図、（Ｂ）は変形例の部分断面図、（Ｃ）は中蓋の固定手段を示す上面図、を示している。図３は、図１に示したコンクリート被覆層及び外蓋の説明図であり、（Ａ）は図１におけるＸ−Ｘ断面図、（Ｂ）は外蓋の下面図、を示している。
【００１７】
本発明の実施形態に係る放射性廃棄物収納容器１は、図１〜図３に示したように、放射性廃棄物を収納可能かつ放射能を遮蔽可能な放射性廃棄物収納容器であって、放射性廃棄物の収納部を形成するドラム缶２と、ドラム缶２の側周部及び底面部の外面を覆うコンクリート被覆層３と、ドラム缶２の上部を覆う中蓋４と、中蓋４をドラム缶２に固定する固定手段５と、中蓋４を覆うとともにコンクリート被覆層３の上部に配置されるコンクリート製の外蓋６と、を有する。
【００１８】
前記ドラム缶２は、ホットスポット等の放射性物質が蓄積した土砂や汚染水、放射性物質が付着した雨樋、瓦礫、廃材等を含む放射性廃棄物を収容する容器である。ドラム缶２は、一般に２００リットル以上の容積を有する金属性の缶を意味し、ＪＩＳ規格により大きさや寸法が規定されている。最も一般的なドラム缶２は、容量２００リットル、直径約６００ｍｍ、高さ約９００ｍｍである。また、ドラム缶には、蓋が開閉可能なオープンドラムと蓋が密閉されたタイトヘッドドラムとの二種類が存在しているが、本実施形態ではオープンドラムが使用される。
【００１９】
前記コンクリート被覆層３は、ドラム缶２の外周面を覆い、放射能を遮蔽する機能を有する。コンクリート被覆層３は、ドラム缶２の底部及び側周部を覆うように形成されるとともに、ドラム缶２の上部（例えば、５０ｍｍ程度）は露出するように形成される。このドラム缶２の露出部は、中蓋４の係止部として使用される。コンクリート被覆層３は、例えば、５０〜１５０ｍｍ程度の厚さを有する。
【００２０】
かかるコンクリート被覆層３を形成する際には、ドラム缶２を上下反転させた状態で、通常のコンクリート製品と同様に、型枠を組み、コンクリートを打設（打ち込み）し、締固めを行い、その後、仕上げ、養生を行う。また、ドラム缶２の底部に型枠保持用のインサート３１を溶接し、ドラム缶２の底部を覆う型枠をインサート３１にボルト等の締結具を使用して固定することにより、コンクリート打設時における型枠の浮き上がりを抑制するようにしてもよい。かかる処理により、平らな底部を有するコンクリート被覆層３を形成することができる。また、締固め時には、型枠の外側から振動を与えて、コンクリートを流動化させ、コンクリートを隅々まで行き渡らせるとともに、コンクリートの内部に含まれる気泡や余分な水分を抜くようにしてもよい。
【００２１】
また、コンクリート被覆層３は、底面部中央に凹部３２が形成されている。凹部３２は、放射性廃棄物収納容器１を縦置きした状態で積載する際に、外蓋６を中蓋４に固定する締結具７を収容可能な大きさに形成される。
【００２２】
また、コンクリート被覆層３は、側周部に配置された複数のインサート３３を有していてもよい。インサート３３は、例えば、図３（Ｂ）に示したように、中心角１２０度の間隔で三箇所に配置される。ただし、インサート３３の配置は図示したものに限定されず、二箇所に配置されていてもよいし、四箇所以上の箇所に配置されていてもよいし、均等な間隔で配置されていてもよいし、任意の間隔で配置されていてもよい。このインサート３３には、例えば、放射性廃棄物収納容器１の搬送時に使用する吊り下げ用金具等が締結される。また、インサート３３の外周に略Ｕ時形状の鉄筋を掛け渡して、添筋３４を配置するようにしてもよい。かかる添筋３４を配置することにより、強度を部分的に向上させることができる。
【００２３】
また、コンクリート被覆層３は、いわゆる無筋コンクリートにより構成されているとともに、金属製の繊維材、粒状体又は粉状体が混練されていてもよい。コンクリート被覆層３の内側にはドラム缶２が配置されていることから、コンクリート被覆層３は無筋コンクリートにより構成することができるが、例えば、コンクリート被覆層３が厚くなったような場合には、適宜鉄筋を挿入するようにしてもよい。
【００２４】
また、例えば、繊維材としては鋼繊維が使用され、粒状体としては鉄球や鉛粒が使用され、粉状体としては鉄粉や鉛粉が使用される。これらの添加材（繊維材、粒状体又は粉状体）は、比重の大きい金属であれば、鉄や鉛に限定されるものではない。かかる添加材をコンクリートに付加することにより、放射能の遮蔽性をさらに向上させることができる。これらの添加材は、分量が多い方が好ましいが、コンクリートとの親和性を考慮して、例えば、コンクリートに対する体積比率が０．５〜５％、好ましくは０．５〜３％程度となるように調整される。
【００２５】
また、コンクリート被覆層３の上部内縁部には、ドラム缶２とコンクリート被覆層３との隙間への水の浸入を抑制するためのシール材３５が配置されていてもよい。シール材３５を配置することにより、ドラム缶２やコンクリート被覆層３の腐食を抑制することができる。
【００２６】
前記中蓋４は、ドラム缶２の開口部を封止するための蓋体である。具体的には、中蓋４は、図１及び図２（Ａ）に示したように、ドラム缶２の外縁部に係止可能なフック部４１ａとドラム缶２の開口部を覆う円板部４１ｂとを有する金属製の中蓋本体部４１と、フック部４１ａ及び円板部４１ｂにより形成される窪みに形成されたコンクリート層４２と、を有する。フック部４１ａの内側（ドラム缶２の上端部と接触する部分）には、シール材としてゴムパッキンを配置するようにしてもよい。
【００２７】
このように、オープンドラムに使用される中蓋本体部４１にコンクリート層４２を形成したことにより、中蓋４の放射能の遮蔽性を向上させることができる。このコンクリート層４２は、直径６００ｍｍ以下、厚さ１０〜２０ｍｍ程度であることから、中蓋４の重量は２０〜３０ｋｇ程度となり、成人男性が数人いれば人力で容易に持ち上げることが可能である。したがって、中蓋４の開閉を容易に行うことができ、放射性廃棄物収納容器１に放射性廃棄物を入れるとき以外は、ドラム缶２の開口部を中蓋４で封止しておくことができる。
【００２８】
また、中蓋４は、表面側のコンクリート層４２の中央部に配置された締結部４３を有する。締結部４３は、例えば、ボルト等の締結具７を締結可能なナット形状を有しており、円板部４１ｂに溶接されて中蓋本体部４１に固定される。この締結部４３には、後述するように、外蓋６を固定するための締結具７が締結される。
【００２９】
また、図２（Ｂ）に示したように、コンクリート層４２の中間部に網筋４４（網目状の鉄筋）を配置するようにしてもよい。網筋４４をコンクリート層４２に挿入することにより、中蓋４の強度を向上させることができ、コンクリート層４２を形成した場合における中蓋本体部４１の変形や破損を抑制することができる。
【００３０】
前記固定手段５は、中蓋４の外縁部に沿って配置され、中蓋４のフック部４１ａを締め付けることによって中蓋４をドラム缶２の開口部に固定する部品である。固定手段５は、例えば、図１及び図２（Ｃ）に示したように、中蓋４の外縁部に沿って配置可能なバンド部５１と、バンド部５１を環状に形成して縮径した状態を保持するロック機構５２と、を有している。図２（Ｃ）において、ロック機構５２を解除した状態を一点鎖線で図示し、ロック機構５２を作用させた状態を実線で図示している。
【００３１】
ロック機構５２は、例えば、バンド部５１の側面部に回動可能に配置されたレバー部材５２ａと、レバー部材５２ａの回動部とバンド部５１の自由端とを接続する連結部材（図示せず）と、を有し、連結部材を接続した状態でレバー部材５２ａを外側から内側に回動させることによって、バンド部５１の自由端を引き寄せて縮径させ、中蓋４を締め付けるように構成される。なお、かかる固定手段５は、単なる一例であって、中蓋４をドラム缶２に固定することができる機構であれば、他の構成であってもよい。
【００３２】
外蓋６は、コンクリート被覆層３の上部を覆う蓋体である。具体的には、外蓋６は、図１及び図３（Ｂ）に示したように、コンクリート被覆層３と略同一の直径を有するコンクリート製の略円盤形状部材であって、その内側には、ドラム缶２の露出部、中蓋４及び固定手段５を収容可能な空間を構成する凹部６１が形成されている。凹部６１は、中蓋４の外形に沿った第一円弧部６１ａと、固定手段５との干渉を避けるために部分的に拡径された第二円弧部６１ｂと、を有する。第二円弧部６１ｂは、固定手段５の幅よりも大きく形成されており、外蓋６の位置決めを簡単にできるように構成されている。
【００３３】
また、外蓋６は、中央部に締結具７（図１参照）を挿通可能な開口部６２を有している。図１に示したように、ボルト等の締結具７のネジ部が開口部６２の外側から挿通され、中蓋４の締結部４３（ナット）に螺合される。すなわち、中蓋４は中央部に締結部４３を有し、外蓋６は中央部に締結具７を挿通可能な開口部６２を有し、外蓋６の外側から開口部６２に締結具７の一部を挿通し、締結具７を締結部４３に係合させることによって外蓋６を中蓋４に固定するように構成されている。
【００３４】
このように、外蓋６の固定部を中央部に配置することにより、外蓋６の位置決めを正確に行う必要がなく、外蓋６の封止作業を容易に行うことができる。それに対し、外蓋６の固定部を中央部以外の場所（例えば、外周部）に配置した場合には、コンクリート被覆層３等に配置された締結部と位相を正確に一致させる必要があり、外蓋６の封止作業が面倒になってしまう。
【００３５】
また、外蓋６は、コンクリート被覆層３と同様に、無筋コンクリートにより構成されているとともに、金属製の繊維材、粒状体又は粉状体が混練されていてもよい。かかる構成により、外蓋６の放射能の遮蔽性を向上させることができる。
【００３６】
ここで、図４は、放射性廃棄物収納容器の封止手順を示す図であり、（Ａ）は開放状態、（Ｂ）は中蓋固定状態、（Ｃ）は外蓋載置状態、（Ｄ）は外蓋固定状態、を示している。なお、各図において、インサート３１，３３、シール材３５等の図を省略してある。
【００３７】
上述した本実施形態に係る放射性廃棄物収納容器１は、一般的に市販されているドラム缶２をベースにしていることから、放射性廃棄物収納容器１の小型化及び軽量化を図ることができ、例えば、車両積載型トラッククレーン（ユニック車、キャブバッククレーン車等）により搬送することができ、ホットスポットが生じている住宅地等に近接した箇所まで放射性廃棄物収納容器１を容易に搬送することができる。そして、放射性廃棄物収納容器１は、ホットスポットに近接した箇所に配置され、外蓋６及び中蓋４が取り外され、放射性廃棄物が収納される。
【００３８】
図４（Ａ）に示したように、放射性廃棄物収納容器１に放射性廃棄物Ｗを収納するときは、外蓋６及び中蓋４を取り外しておき、ドラム缶２が開放した状態にしておく。なお、外蓋６の取り外しには、外蓋６が３０〜４０ｋｇ程度の重量を有することから、車両積載型トラッククレーンに搭載されたクレーンを使用するようにしてもよいし、人力（例えば、二〜三人程度）で行うようにしてもよい。中蓋４の取り外しには、中蓋４は軽量であることから人力で行うようにしてもよいし、車両積載型トラッククレーンに搭載されたクレーンを使用してもよい。
【００３９】
そして、放射性廃棄物収納容器１が満杯になるまでの間、雨が降っている間、放射性廃棄物Ｗをホットスポットから回収している間等のように、放射性廃棄物収納容器１を長時間放置することになったような場合には、図４（Ｂ）に示したように、中蓋４をドラム缶２の上部に被せて開口部を封止する。このとき、固定手段５を使用してもよいし、一時的な封止であるため固定手段５の使用を省略するようにしてもよい。
【００４０】
上述したように、本実施形態に係る放射性廃棄物収納容器１において、中蓋４はコンクリート層４２を有していることから放射能を遮蔽する機能を有しており、かつ、軽量化されていることからクレーン等の重機を使用しなくても容易に持ち上げてドラム缶２上に配置することができる。したがって、ドラム缶２の開閉を容易に行うことができ、常時開放しておく必要がなく、放射能の漏洩や拡散、作業者や近隣住民の被曝等を抑制することができる。
【００４１】
その後、ドラム缶２が満杯になった場合やホットスポットにおける放射性廃棄物Ｗを全部回収できた場合には、放射性廃棄物収納容器１を回収する必要がある。この場合、図４（Ｂ）に示したように、中蓋４を固定手段５によりドラム缶２に固定して、ドラム缶２の開口部を気密に封止する。
【００４２】
続いて、図４（Ｃ）に示したように、外蓋６をコンクリート被覆層３上に配置する。外蓋６は、３０〜４０ｋｇ前後の重量を有することから、例えば、車両積載型トラッククレーンに搭載されたクレーンを使用して、コンクリート被覆層３上に移動される。最終的に、放射性廃棄物収納容器１は、車両積載型トラッククレーンに回収されて中間処分場等に搬送されることから、外蓋６の開閉に際し、専用の重機を用意しておく必要はない。
【００４３】
次に、図４（Ｄ）に示したように、外蓋６の開口部６２に締結具７が座金等を介して挿通され、締結具７は中蓋４の締結部４３に接続される。かかる処理により、外蓋６が中蓋４に固定される。中蓋４はドラム缶２に固定されていることから、結局、外蓋６は間接的にドラム缶２に固定され、コンクリート被覆層３の上部を封止することができる。外蓋６は、中蓋４のコンクリート層４２よりも厚いコンクリートにより形成されていることから、放射能の遮蔽性に優れており、放射能の漏洩を効果的に抑制することができる。また、ドラム缶２の開口部は、中蓋４及び外蓋６の二重蓋構造により封止されていることから、放射能の漏洩を効果的に抑制することができる。
【００４４】
上述した本発明に係る放射性廃棄物収納容器１によれば、ドラム缶２の外側をコンクリート被覆層３で覆うとともに軽量な中蓋４を配置したことにより、ドラム缶２の収納容積を低下させることなく放射能を遮蔽することができるとともに、手軽に容器を開閉することができる。したがって、放射性廃棄物収納容器１が満杯になるまで現地に一時的に置いておく場合であっても、容器を使用しないときには中蓋４を閉めておくことができ、放射能の漏洩や雨水の浸入を抑制することができ、収容量の低減、放射性物質の拡散、近隣住民や作業者の被曝等を抑制することができる。
【００４５】
ここで、図５は、図１に示した放射性廃棄物収納容器の使用状態等を示す図であり（Ａ）は吊り下げ状態、（Ｂ）は積載状態、（Ｃ）は金属層を内張した状態、を示している。なお、図５（Ｂ）において、放射性廃棄物収納容器１の底部の一部を切り欠いた状態を図示している。
【００４６】
例えば、放射性廃棄物収納容器１を車両積載型トラッククレーンから降ろしたり、車両積載型トラッククレーンに回収したりする場合には、図５（Ａ）に示したように、放射性廃棄物収納容器１は空の状態で５００ｋｇ程度の重量を有することから、車両積載型トラッククレーンに搭載されたクレーンを使用することが好ましい。その際、放射性廃棄物収納容器１の周面に埋め込まれたインサート３３に吊り下げ用金具８１を取り付け、吊り下げ用金具８１にワイヤ８２を掛け回し、クレーンのフック８３にワイヤ８２を係止させて放射性廃棄物収納容器１を昇降させるようにすればよい。
【００４７】
すなわち、上述した本実施形態に係る放射性廃棄物収納容器１では、図１及び図５（Ａ）に示したように、コンクリート被覆層３が、側周部に配置された複数のインサート３３を有し、インサート３３に吊り下げ用金具８１が締結可能に構成されている。
【００４８】
また、中間処分場等において、放射性廃棄物収納容器１を積載する場合には、図５（Ｂ）に示したように、縦置きされた放射性廃棄物収納容器１の上部に別の放射性廃棄物収納容器１が載置され積載される。すなわち、上述した本実施形態に係る放射性廃棄物収納容器１では、図１及び図５（Ｂ）に示したように、コンクリート被覆層３が、底面部中央に締結具７の頭部を収容可能な凹部３２を有し、放射性廃棄物収納容器１を積載可能に構成されている。
【００４９】
なお、外蓋６の表面に締結具７の頭部を収容可能な窪みを形成した場合には、外蓋６の表面から締結具７の頭部が突出しないことから、放射性廃棄物収納容器１がかかる構成を有する場合には、凹部３２を省略することができ、凹部３２を形成しなくても、容易に放射性廃棄物収納容器１を縦方向に積載することができる。
【００５０】
また、放射性廃棄物収納容器１の放射能の遮蔽性を向上させる手段として、ドラム缶２の内側に、放射能を遮蔽可能な金属層９を形成するようにしてもよい。金属層９は、例えば、鉛板や鉛シート、鉄板や鉄シートを貼付することによって形成してもよいし、鉛や鉄を含む材料を塗装したり溶射したりして形成するようにしてもよい。
【００５１】
本発明は上述した実施形態に限定されず、要求される放射能の遮蔽性に応じてコンクリート被覆層３や外蓋６のコンクリートの厚さを適宜変更することができる等、本発明の趣旨を逸脱しない範囲で種々変更が可能であることは勿論である。
【符号の説明】
【００５２】
１  放射性廃棄物収納容器
２  ドラム缶
３  コンクリート被覆層
４  中蓋
５  固定手段
６  外蓋
７  締結具
９  金属層
３１，３３  インサート
３２  凹部
３４  添筋
３５  シール材
４１  中蓋本体部
４１ａ  フック部
４１ｂ  円板部
４２  コンクリート層
４３  締結部
４４  網筋
５１  バンド部
５２  ロック機構
５２ａ  レバー部材
６１  凹部
６１ａ  第一円弧部
６１ｂ  第二円弧部
６２  開口部
８１  吊り下げ用金具
８２  ワイヤ
８３  フック
【図１】
0005936256.tif 000002
【図２】
0005936256.tif 000003
【図３】
0005936256.tif 000004
【図４】
0005936256.tif 000005
【図５】
0005936256.tif 000006